(57)【要約】【課題】枠体に装飾体を、枠体と装飾体との間の隙間の大きさが異なっても、取付用ねじで取り付けできると共に、装飾体の固定強度を確保できる建具とする。【解決手段】枠体２の枠材の装飾体取付部２１ｃに固定部品５を取り付け、固定部品５の取付片５１にねじ５３を面内方向に向けて螺合し、装飾体（格子枠材３０）の枠体取付部３１に取付用ねじ５５を面内方向に挿通し、取付用ねじ５５を取付片５１に螺合して前記ねじ５３を枠体取付部３１に当接することで、装飾体の固定強度を確保して装飾体を枠体２に取り付け、装飾体取付部２１ａと枠体取付部３１との間の隙間の大きさに合わせてねじ５３を締め付け、弛めてねじ５３が枠体取付部３１に当接する位置を面内方向に移動調整できるようにする。【選択図】図４
2015129419.tif 000002
【特許請求の範囲】
【請求項１】
枠体に装飾体を取り付けた建具であって、
前記枠体を形成する枠材の装飾体取付部に固定部品が取り付けられ、
前記固定部品に装飾体の枠体取付部を固着具で固着し、固定部品の当接部と装飾体の枠体取付部とを面内方向に当接して装飾体を枠体に取り付け、
前記当接部は面内方向に移動調整できるようにしたことを特徴とする建具。
【請求項２】
前記固定部品は固着部と取付部を有し、固着部を枠材の装飾体取付部に固着して取り付け、
前記取付部に、支持具を面内方向に移動調整自在に取り付け、この支持具を当接部とし、
前記装飾体の枠体取付部を、固着具で固定部品の取付部に固着することで、枠体取付部を支持具に当接するようにした請求項１記載の建具。
【請求項３】
前記固定部品は固着部と取付部を有し、固着部を、その面内方向の長穴を挿通したねじにより装飾体取付部に取り付け、
前記装飾体の枠体取付部を、固着具で固定部品の取付部に固着し、枠体取付部を固定部品の取付部に当接することで、取付部を当接部とした請求項１記載の建具。
【請求項４】
前記固定部品は固着部と取付部を有し、固着部を枠材の装飾体取付部にライナーを介在して取り付け、
前記装飾体の枠体取付部を、固着具で固定部品の取付部に固着し、枠体取付部を固定部品の取付部に当接することで、取付部を当接部とした請求項１記載の建具。
【請求項５】
前記枠体の上下の枠材の装飾体取付部と、装飾体の上下の枠体取付部を、枠体に装飾体を上下けんどん式に取り付けできる形状とし、
前記上の枠材の装飾体取付部に、枠体を装飾体を取り付けるときに上の枠材取付部で圧縮される弾性部材を取り付け、
枠体に装飾体を取り付けた状態で、装飾体の上の枠体取付部は、前記弾性部材の弾性復元力により上の枠材の装飾体取付部に面外方向に押しつけられ、装飾体の下の枠体取付部は、前記弾性部材の弾性復元力により下の枠材の装飾体取付部に面内方向に押しつけられるようにした請求項１〜４いずれか１項記載の建具。
【請求項６】
前記装飾体の枠体取付部は、固着具の軸が挿通する穴を有し、前記穴は、前記固着具の軸よりも上下方向に長い長穴で、装飾体を枠体に取り付けた状態では、長穴の下部と固着具の軸との間に、装飾体の熱伸び吸収用の隙間を有し、
前記固着具の頭部の大きさは装飾体の熱伸び前後で長穴を覆う寸法である請求項５記載の建具。
【請求項７】
前記枠体を形成する枠材は、枠本体と、枠本体の面内方向の内側に取り付けたアタッチメントを有し、
前記アタッチメントは、面外方向の一側に装飾体取付部を有し、面外方向の他側に面材取付部を有し、
前記アタッチメントの面外方向の一側に装飾体を取り付け、アタッチメントの面外方向の他側に面材を取り付けた請求項１〜６いずれか１項記載の建具。
【発明の詳細な説明】
【技術分野】
【０００１】
本発明は、戸、障子などの枠体に装飾体を取り付けた建具に関する。
【背景技術】
【０００２】
枠体に装飾体を取り付けた建具が特許文献１に開示されている。
この建具は、枠材を方形状に枠組みした枠体と、格子枠に縦格子と横格子を取り付けた格子と、ガラスを備え、枠体の見込み方向一側に格子を取り付け、枠体の見込み方向他側にガラスを取り付けている。
格子枠に取付用ねじを面内方向に向けて螺合し、格子枠を枠体内に挿入した状態で、取付用ねじを締め付けることで、取付用ねじを枠体の枠材に押しつけることで、格子を枠体に取り付け、取付用ねじを弛めることで格子を枠体から取り外しできるようにしている。
【先行技術文献】
【特許文献】
【０００３】
【特許文献１】特許第３７９７２３０号公報
【発明の概要】
【発明が解決しようとする課題】
【０００４】
前述の建具であれば、取付用ねじを締め付け、弛めることで格子を枠体に取り付け、取り外しできるので、格子の取り付け、取り外しが容易である。
しかも、枠体と格子との間の面内方向の隙間の大きさが異なる場合には、取付用ねじの締め付け量を調整することで格子の枠体に取り付けできる。
しかしながら、格子の格子枠に螺合した取付用ねじの先端部を枠体の枠材に当接して取り付けているので、格子枠の取付用ねじの螺合部位と枠材の取付用ねじの当接部位とが面内方向に離隔している。このために、取付用ねじを締め付けると、格子枠における取付用ねじの螺合部位が変形することがあるので、格子の固定強度を確保できないことがある。
例えば、格子枠の剛性が弱い場合には、取付用ねじを強く締め付けると格子枠が変形するので、格子の固定強度を確保できない。
【０００５】
本発明は、前述の課題を解決するためになされたもので、その目的は、枠体に格子ユニットなどの装飾体を容易に取り付け、取り外しでき、枠体と装飾体との間の面内方向の隙間の大きさが異なる場合でも取り付けでき、しかも、装飾体の固定強度を確保できるようにした建具とすることである。
【課題を解決するための手段】
【０００６】
本発明は、枠体に装飾体を取り付けた建具であって、
前記枠体を形成する枠材の装飾体取付部に固定部品が取り付けられ、
前記固定部品に装飾体の枠体取付部を固着具で固着し、固定部品の当接部と装飾体の枠体取付部とを面内方向に当接して装飾体を枠体に取り付け、
前記当接部は面内方向に移動調整できるようにしたことを特徴とする建具である。
【０００７】
本発明の建具は、前記固定部品は固着部と取付部を有し、固着部を枠材の装飾体取付部に固着して取り付け、
前記取付部に、支持具を面内方向に移動調整自在に取り付け、この支持具を当接部とし、
前記装飾体の枠体取付部を、固着具で固定部品の取付部に固着することで、枠体取付部を支持具に当接するようにすることができる。
このようにすれば、支持具を面内方向に移動調整することで、当接部を面内方向に移動調整できる。
【０００８】
本発明の建具は、前記固定部品は固着部と取付部を有し、固着部を、その面内方向の長穴を挿通したねじにより装飾体取付部に取り付け、
前記装飾体の枠体取付部を、固着具で固定部品の取付部に固着し、枠体取付部を固定部品の取付部に当接することで、取付部を当接部とすることができる。
このようにすれば、固定部品を長穴に沿って面内方向に移動することで、当接部を面内方向に移動調整できる。
【０００９】
本発明の建具は、前記固定部品は固着部と取付部を有し、固着部を枠材の装飾体取付部にライナーを介在して取り付け、
前記装飾体の枠体取付部を、固着具で固定部品の取付部に固着し、枠体取付部を固定部品の取付部に当接することで、取付部を当接部とすることができる。
このようにすれば、ライナーの厚さや枚数を変えることで、当接部を面内方向に移動調整できる。
【００１０】
本発明の建具は、前記枠体の上下の枠材の装飾体取付部と、装飾体の上下の枠体取付部を、枠体に装飾体を上下けんどん式に取り付けできる形状とし、
前記上の枠材の装飾体取付部に、枠体を装飾体を取り付けるときに上の枠材取付部で圧縮される弾性部材を取り付け、
枠体に装飾体を取り付けた状態で、装飾体の上の枠体取付部は、前記弾性部材の弾性復元力により上の枠材の装飾体取付部に面外方向に押しつけられ、装飾体の下の枠体取付部は、前記弾性部材の弾性復元力により下の枠材の装飾体取付部に面内方向に押しつけられるようにできる。
このようにすれば、装飾体の上の枠体取付部を上の枠材の装飾体取付部に押しつけて面外方向に支持でき、装飾体の下の枠体取付部を下の枠材の装飾体取付部に押しつけて面内方向に支持できる。
【００１１】
本発明の建具は、前記装飾体の枠体取付部は、固着具の軸が挿通する穴を有し、前記穴は、前記固着具の軸よりも上下方向に長い長穴で、装飾体を枠体に取り付けた状態では、長穴の下部と固着具の軸との間に、装飾体の熱伸び吸収用の隙間を有し、
前記固着具の頭部の大きさは装飾体の熱伸び前後で長穴を覆う寸法とすることができる。
このようにすれば、装飾体の熱伸びを吸収できると共に、熱伸びの前後で長穴を固着具の頭部で覆うことができる。
【００１２】
本発明の建具は、前記枠体を形成する枠材は、枠本体と、枠本体の面内方向の内側に取り付けたアタッチメントを有し、
前記アタッチメントは、面外方向の一側に装飾体取付部を有し、面外方向の他側に面材取付部を有し、
前記アタッチメントの面外方向の一側に装飾体を取り付け、アタッチメントの面外方向の他側に面材を取り付けることができる。
【発明の効果】
【００１３】
本発明によれば、枠体に装飾体を容易に取り付け、取り外しできる。
固定部品の当接部を面内方向に移動調整することで、枠体と装飾体との間の面内方向の隙間の大きさが異なる場合でも枠体に装飾体を取り付けできる。
固定部品の当接部と装飾体の枠体取付部が接触することで固着具の固着力を支持するから、装飾体の固定強度を確保できる。
【図面の簡単な説明】
【００１４】
【図１】本発明の第１の実施の形態を示す障子の正面図である。
【図２】図１の縦断面図である。
【図３】図１の横断面図である。
【図４】図３の左の縦枠材と左の格子枠材の拡大図である。
【図５】図１のＡ部拡大図である。
【図６】図２の上枠材と上の格子枠材の拡大図である。
【図７】図２の下枠材と下の格子枠材の拡大図である。
【図８】図２のＢ部拡大図である。
【図９】本発明の第２の実施の形態を示す障子の正面図である。
【図１０】図９のＣ−Ｃ拡大図である。
【図１１】本発明の第３の実施の形態を示す障子の正面図である。
【図１２】図１１のＤ−Ｄ拡大図である。
【発明を実施するための形態】
【００１５】
図１に示すように、建具１は枠体２と、枠体２に取り付けた装飾体、例えば格子ユニット３を備えている。
枠体２は、面内方向の上下に対向した２つの枠材、つまり上枠材２ａ、下枠材２ｂと、面内方向の左右に対向した２つの枠材、つまり左右の縦枠材２ｃ，２ｄとで方形枠形状である。
各枠材２ａ，２ｂ，２ｃ，２ｄは、枠本体２０と、枠本体２０の面内方向の内側に取り付けたアタッチメント２１を有している。
格子ユニット３は、格子枠３ａと、格子枠３ａに取り付けた縦格子３ｂを有している。
格子枠３ａは、上下、左右の格子枠材３０で方形枠形状である。
実施の形態は、図２と図３に示すように、枠体２の面外方向の一側に格子ユニット３が取り付けられ、枠体２の面外方向の他側に面材、例えばガラス４が取り付けてある。
【００１６】
図４に示すように、左の縦枠材２ｃの枠本体２０は、面内方向内側に面外方向一側の第１鉤片２２と、面外方向他側の第２鉤片２３とを有し、第１鉤片２２と第２鉤片２３との間に内向きの開口２４を形成している。
アタッチメント２１は、面外方向に向かう取付壁２５と、取付壁２５の面外方向中間の面内方向外側に設けた一対の取付片２６と、取付壁２５の面外方向一側に面内方向内側に向けて設けた第１内向壁２７と、取付壁２５の面外方向中間に面内方向内側に向けて設けた第２内向壁２８と、取付壁２５の面外方向他側に取り付けた押縁２９を有している。
第１内向壁２７と第２内向壁２８との間に、格子ユニット３を取り付ける。つまり、取付壁２５と第１内向壁２７と第２内向壁２８とで装飾体取付部２１ａを形成している。実施の形態では、装飾体取付部２１ａは面内方向内側に開口した凹部を有している。
第２内向壁２８と押縁２９とでガラス４を支持する。つまり、取付壁２５と第２内向壁２８と押縁２９とで面材取付部を形成している。
【００１７】
アタッチメント２１は、一対の取付片２６を枠本体２０の開口２４に嵌合し、取付壁２５を第１鉤片２２、第２鉤片２３に接することで枠本体２０に取り付けてある。
右の縦枠材２ｄ、上枠材２ａ、下枠材２ｂの枠本体２０は左の縦枠材２ｃの枠本体２０と同様に開口２４を有している。
右の縦枠材２ｄ、上枠材２ａ、下枠材２ｂのアタッチメント２１は、左の縦枠材２ｃのアタッチメント２１と同一である。
なお、各枠材２ａ，２ｂ，２ｃ，２ｄは枠本体２０とアタッチメント２１を一体としたものでも良い。
つまり、枠体２を構成する枠材は、面内方向の内側面に装飾体取付部２１ａを有する形状であれば良い。
【００１８】
図４に示すように、格子枠材３０は枠体取付部３１を備えている。
枠体取付部３１は面内方向に向かう面外方向一側の第１壁３３と、面内方向に向かう面内方向他側の第２壁３４と、面外方向に向かう面内方向内側の第３壁３５と、面外方向に向かう面内方向外側の第４壁３６より成る矩形中空形状である。
枠体取付部３１は、その第１壁３３と連続し、面内方向の外側に向かう板状の枠体支持壁３２を有している。
【００１９】
図１に示すように、左の縦枠材２ｃのアタッチメント２１の取付壁２５の長手方向の中間及び右の縦枠材２ｄのアタッチメント２１の取付壁２５の長手方向の中間に固定部品５がねじ５ａで面内方向内側に向けてそれぞれ固着してある。
固定部品５は図４と図５に示すように、固着片５０と取付片５１とを連結片５２で一体に連結したクランク形状で、固着片５０が取付部で、取付片５１が取付部である。取付壁２５における第１内向壁２７と第２内向壁２８との間の部分に固着片５０をねじ５ａで固着して取り付け、取付片５１が取付壁２５と面内方向に離隔し、取付片５１が第１内向壁２７よりも面内方向内側に突出し、取付片５１は格子枠材３０の枠体取付部３１の第４壁３６と対向している。
【００２０】
固定部品５の取付片５１には、面内方向に向かう支持具が面内方向に移動調整自在に取り付けてある。例えば、取付片５１にねじ５３が面内方向に向けて螺合して取り付け、ねじ５３の頭部５３ａを面内方向の内側に向けてある。ねじ５３の頭部５３ａは平坦面形状である。
固定部品５の取付片５１にはねじ孔５４が面内方向に向けて形成してある。
【００２１】
格子枠材３０の枠体取付部３１が固着具で、取付片５１に固着してある。例えば、枠体取付部３１を形成する第３壁３５と第４壁３６に穴３５ａ，３６ａを形成し、取付用ねじ５５を第３壁３５の穴３５ａ、第４壁３６の穴３６ａを挿通して取付片５１のねじ孔５４に螺合して枠体取付部３１を固定部品５に固着することで、第４壁３６をねじ５３の頭部５３ａ（つまり、当接部）に当接して格子枠材３０を固定部品５に取り付ける。
【００２２】
このように、格子枠材３０の枠体取付部３１（第４壁３６）がねじ５３の頭部５３ａに当接しているので、取付用ねじ５５を強く締め付けしても格子枠材３０が変形することがなく、格子ユニット３の固定強度を確保することができる。
【００２３】
また、取付用ねじ５５を締め付け、弛めることで格子ユニット３を枠体２に取り付け、取り外しできるので、格子ユニット３を簡単に取り付け、取り外しできる。
【００２４】
実施の形態では、格子ユニット３の左右の格子枠材３０における枠体取付部３１の面内方向外側端（第４壁３６）間の寸法Ｌ１は、左右の縦枠材２ｃ，２ｄに取り付けた左右の固定部品５の取付片５１間の寸法Ｌ２よりも小さい。左右の格子枠材３０における枠体支持壁３２の面内方向外側端３２ａ間の寸法Ｌ３は、左右の縦枠材２ｃ，２ｄの第１内向壁２７の面内方向内側端２７ａ間の寸法Ｌ４よりも大きい。
そして、格子ユニット３の上下の格子枠材３０は上枠材２ａと下枠材２ｂとの間に、後述するように上下けんどん式に取り付けられ、格子ユニット３の左右の格子枠材３０は左右の縦枠材２ｃ，２ｄ間に次のようにして取り付けられる。
【００２５】
つまり、格子ユニット３の左右の格子枠材３０の枠体取付部３１を、左の縦枠材２ｃの装飾体取付部２１ａの第１内向壁２７と、右の縦枠材２ｄの装飾体取付部２１ａの第１内向壁２７との間に挿入し、左右の枠体支持壁３２を、左右の縦枠材２ｃ，２ｄの装飾体取付部２１ａの第１内向壁２７の面外方向一側面に接することで、格子ユニット３を面外方向に位置決めする。
この状態で、取付用ねじ５５を枠体取付部３１の第３壁３５の穴３５ａ、第４壁３６の穴３６ａに挿入し、取付用ねじ５５を固定部品５の取付片５１のねじ孔５４に螺合することで、格子ユニット３の左右の格子枠材３０を枠体２の左右の縦枠材２ｃ，２ｄに取り付ける。
【００２６】
また、ねじ５３を締め付け、弛めることで、ねじ５３を面内方向に移動すれば、ねじ５３の頭部５３ａ（つまり、当接部）を面内方向に移動調整できるから、固定部品５の取付片５１と格子枠材３０の枠体取付部３１（第４壁３６）との間の隙間の大きさが異なる場合でも、ねじ５３の頭部５３ａ（つまり、当接部）と格子枠材３０の枠体取付部３１の第４壁３６を接することができるから、格子ユニット３を枠体２に取り付けできる。
【００２７】
実施の形態を要約すれば、枠体２を形成する枠材の装飾体取付部２１ａに固定部品５を取り付け、格子ユニット３の枠体取付部３１を固着具（取付用ねじ５５）で固定部品５に固着し、固定部品５の当接部を格子ユニット３の装飾体取付部２１ａに当接して枠材と格子ユニット３を面内方向に動かないように連結することで、装飾体（格子ユニット３）を固定し、この当接部は面内方向に移動自在である。
【００２８】
図１に示すように、格子枠３ａにおける上の格子枠材３０に第１引掛部品６が取り付けてある。
第１引掛部品６は図６に示すように、上の格子枠材３０の枠体取付部３１の第４壁３６に螺合した面内方向に向かうねじ６０としてある。ねじ６０は第４壁３６から面内方向外側（上方）に向けて突出し、上の格子枠材３０の枠体支持壁３２とねじ６０とは面外方向に離隔している。
これにより、上の格子枠材３０は上枠材２ａに、ねじ６０と枠体支持壁３２とで第１内向壁２７を挟持するように取り付けられる。
つまり、上の格子枠材３０の枠体取付部３１の形状と、上枠材２ａの装飾体取付部２１ａの形状は、上の格子枠材３０を上枠材２ａの装飾体取付部２１ａに下から上に向けて挿入できる形状である。
【００２９】
具体的には、ねじ６０が上枠材２ａのアタッチメント２１の第１内向壁２７と第２内向壁２８との間に挿入し、ねじ６０が第１内向壁２７の面外方向他側面と対向し、枠体支持壁３２が第１内向壁２７の面外方向一側面と対向し、ねじ６０と枠体支持壁３２とで一側内向壁２７を挟持する。
枠体取付部３１の第２壁３４が中間内向壁２８の面外方向一側面に接する。
【００３０】
図１に示すように、下の格子枠材３０に第２引掛部品７が取り付けてある。
第２引掛部品７は図７に示すように、下の格子枠材３０の枠体取付部３１の第４壁３６に螺合したねじ７０としてある。
ねじ７０は第４壁３６から面内方向外側（下方）に向けて突出し、下の格子枠材３０の枠体支持壁３２とねじ７０は面外方向に離隔している。
これにより、下の格子枠材３０は下枠材２ｂに、ねじ７０と枠体支持壁３２とで第１内向壁２７を挟持するように取り付けられる。
【００３１】
具体的には、ねじ７０が下枠材２ｂのアタッチメント２１の第１向壁２７と第２内向壁２８との間に挿入し、ねじ７０が第１内向壁２７の面外方向他側面と対向し、枠体支持壁３２が第１内向壁２７の面外方向一側面と対向し、ねじ７０と枠体支持壁３２とで第１内向壁２７を挟持する。
枠体取付部３１の第２壁３４が第２内向壁２８の面外方向一側面に接し、枠体取付部３１の第３壁３５における第２壁３４よりも面外方向他側に突出した突部３５ｂが第２内向壁２８の面内方向内側端に接する。
第４壁３６に支持材７１を設け、支持材７１を下枠材２ｂの装飾体取付部２１ａの第１内向壁２７の面内方向内側端に接している。
【００３２】
次に、格子ユニット３の取り付けを説明する。
図２に仮想線で示すように、格子ユニット３を垂直に対して上部が下部よりも枠体２寄りとなる斜めの姿勢とする。
格子ユニット３を矢印で示す方向に移動し、上枠材２ａのアタッチメント２１の第１内向壁２７と第２内向壁２８との間に第１引掛部品６を挿入し、格子ユニット３の最下部である枠体支持壁３２の下端を下枠材２ｂのアタッチメント２１の第１内向壁２７よりも上とする。
格子ユニット３を垂直な姿勢とし、下の格子枠材３０を下枠材２ｂの装飾体取付部２１ａの真上に位置させる。
格子ユニット３を下方に移動し、図７に示すように第２引掛部品７（ねじ７０）を下枠材２ｂのアタッチメント２１の第１内向壁２７と第２内向壁２８との間に挿入し、枠体取付部３１の第３壁３５の突部３５ｂを第２内向壁２８に接して格子ユニット３の上の格子枠材３０と下の格子枠材３０を枠体２の上枠材２ａの装飾体取付部２１ａと下枠体２ｂの装飾体取付部２１ａとに、上下けんどん式に取り付ける。
【００３３】
この後に、左右の格子枠材３０を、左右の縦枠材２ｃ，２ｄに取り付けた固定部品５の取付片５１に取付用ねじ５５で固着することで、格子ユニット３を枠体２に取り付けする。
【００３４】
図６に示すようにアタッチメント２１の装飾体取付部２１ａにおける第１引掛部品６（ねじ６０）が挿入する部分に弾性部材６１が設けてある。
弾性部材６１は発泡樹脂などの柔軟なものが好ましい。
格子ユニット３の上下の格子枠材３０を枠体２の上枠材２ａ、下枠材２ｂの装飾体取付部２１ａ，２１ａに上下けんどん式に取り付けるときに、上の格子枠材３０の枠体取付部３１に取り付けた第１引掛部品６（ねじ６０）が、弾性部材６１を圧縮変形することで、上の格子枠材３０が上枠材２ａの装飾体取付部２１ａに対して上方に移動する。
【００３５】
弾性部材６１の第１引掛部品６（ねじ６０）が接する面６１ａは水平に対して面外方向他側（第２内向壁２８側）が面外方向一側（第１内向壁２７側）よりも上となるように傾斜した傾斜面で、第１引掛部品６が弾性部材６１の面６１ａに押しつけられることにより、弾性部材６１の弾性復元力で第１引掛部品６は面外方他側方（第２内向壁２８に向かう方向）に向けて押されるとともに、面内方向の下方に向けて押される。
【００３６】
これにより、上の格子枠材３０の枠体取付部３１の第２壁３４、つまり面外方向他側部が第２内向壁２８に接触し、上の格子枠材３０が面外方向にガタつくことを抑制し、下の格子枠材３０の枠体取付部３１の突部３５ｂが下枠材２ｂの装飾体取付部２１ａの第２内向壁２８に接触し、上下方向にガタつくことを抑制する。
【００３７】
格子ユニット３を枠体２に取り付けた状態で、格子ユニット３は上枠材２ａに対して上方に移動できるから、日射等による格子ユニット３の熱伸びを吸収できる。
例えば、図６に示すように、第１引掛部品６（ねじ６０）とアタッチメント２１の取付壁２５との間に隙間があると共に、第２内向壁２８の面内方向内側端２８ａと枠体取付部３１の第３壁３５の突部３５ｂとの間に隙間がある。
この隙間分だけ格子ユニット３は上枠材２ａに対して上方に移動できるから、熱伸びを吸収できる。
【００３８】
左右の格子枠材３０の枠体取付部３１の第３・第４壁３５，３６の穴３５ａ，３６ａを挿通して固定部品５に取付用ねじ５５を螺合しているので、その取付用ねじ５５が格子ユニット３の熱伸びの吸収の妨げとなる。
本発明は、図５、図８に示すように第３・第４壁３５，３６の穴３５ａ，３６ａを取付用ねじ５５の軸５５ａよりも長く、頭部５５ｂよりは短い長穴とする。
格子ユニット３を枠体２に取り付けた状態では、取付用ねじ５５の軸部５５ａと第３・第４壁３５，３６の穴３５ａ，３６ａの下内面との間に上下方向の隙間を形成する。
これにより、格子ユニット３の熱伸びを吸収できる。
しかも、格子ユニット３が熱伸びしたときに取付用ねじ５５の頭部５５ｂが穴３５ａ，３６ａを隠ぺいするので、意匠を損なわない。
つまり、取付用ねじ５５の頭部５５ａの大きさは、格子ユニット３の熱伸び前後で穴３３５ａ，３６ａを覆う寸法としてある。
【００３９】
第２の実施の形態を説明する。
図９、図１０に示すように、固定部品５は固着部である固着片５０と取付部である取付片５１とで鉤形状で、固着片５０は面内方向の長穴５６を有している。
左の縦枠材２ｃの装飾体取付部２１ａ（アタッチメント２１）の第１内向壁２７の面外方向他側面に固定部品５の固着片５０を接し、第１内向壁２７からねじ５７を長穴５６に挿通し、ねじ５７をナット、例えば裏板５８に螺合することで、固定部品５を第１内向壁２７に取り付ける。
左の格子枠材３０の枠体取付部３１の第４壁３５の穴３５ａ、第４壁３６の穴３６ａから取付用ねじ５５を取付片５１のねじ孔５４に螺合し、取付片５１と第４壁３６を当接することで、縦の格子枠材３０を固定部品５に取り付ける。つまり、取付片５１が当接部である。
【００４０】
このようであるから、取付用ねじ５５を締め付け、弛めることで、格子ユニット３を枠体２に取り付け、取り外しできる。
また、左の格子枠枠材３０の枠体取付部３１（第４壁３６）と固定部品５の取付片５１が接触しているので、格子枠材３０が取付用ねじ５５の締め付けで変形することがなく、格子ユニット３の固定強度を確保できる。
また、ねじ５７を弛めることで固定部品５を面内方向に移動し、ねじ５７を締め付けることにより、固定部品５を面内方向に移動して取付片５１（つまり、当接部）を面内方向に移動調整できるから、固定部品５の取付片５１と格子枠材３０の枠体取付部３１（第４壁３６）との間の隙間の大きさが異なる場合でも固定部品５の取付片５１（つまり、当接部）と格子枠材３０の枠体取付部３１（第４壁３６）を接触できるから、格子ユニット３を枠体２に取り付けできる。
【００４１】
固定部品５以外は第１の実施の形態と同一である。
【００４２】
第３の実施の形態を説明する。
図１１、図１２に示すように、固定部品５は第１の実施の形態と同一で、固定部品５の固着部である固着片５０と左の縦枠材２ｃの装飾体取付部２１ａ（アタッチメント２１）の取付壁２５との間にライナー５９を設け、このライナー５９の厚さ、枚数を変えることで固定部品５を面内方向に移動できるように取り付ける。
固定部品５の取付部である取付片５１と左の格子枠材３０の格子取付部３１（第４壁３６）が当接するように、取付用ボルト５５で連結し、左の格子枠材３０を、左の縦枠材２ｃに取り付けた固定部品５に固着して取り付ける。つまり、取付片５１が当接部である。
ライナー５９は一端部に半円形状の凹部を有し、その凹部をねじ５ａの軸に挿入するようにして取付壁２５と固着片５０との間に設ける。
【００４３】
このようであるから、取付用ねじ５５を締め付け、弛めることで、格子ユニット３を枠体２に取り付け、取り外しできる。
また、左の格子枠枠材３０の枠体取付部３１（第４壁３６）と固定部品５の取付片５１が接触しているので、格子枠材３０が取付用ねじ５５の締め付けで変形することがなく、格子ユニット３の固定強度を確保できる。
また、ライナー５９の厚さや枚数を変えることで固定部品５を面内方向に移動して取付片５１を面内方向に移動できるから、固定部品５の取付片５１と格子枠材３０の枠体取付部３１（第４壁３６）との間の隙間の大きさが異なる場合でも固定部品５の取付片５１（当接部）と格子枠材３０の枠体取付部３１（第４壁３６）を接触できるから、格子ユニット３を枠体２に取り付けできる。
【００４４】
固定部品５以外は第１の実施の形態と同一である。
【００４５】
実施の形態では、格子ユニット３を、格子枠３ａに縦格子３ｂを取り付けた縦格子ユニットとしたが、これに限ることはない。
例えば、格子枠に横格子を取り付けた横格子ユニット、格子枠に縦格子と横格子を取り付けた井桁格子ユニットなどとしても良い。
実施の形態では、建具を片引き戸、片引き窓、引き違い戸、引き違い窓などに用いる障子としたが、これに限ることはない。
例えば、ドアに用いる扉、嵌め殺し窓に用いる障子などとしても良い。
実施の形態では、装飾体を格子ユニットとしたが、これに限ることはない。
例えば、装飾パネル、鋳物パネルなどであっても良い。
実施の形態では、枠体２にガラス４を取り付けしたが、ガラス４は取り付けしないこともある。
【符号の説明】
【００４６】
１…建具、２…枠体、２ａ…上枠材、２ｂ…下枠材、２ｃ…左の縦枠材、２ｄ…右の縦枠材、３…格子ユニット（装飾体）、３ａ…格子枠、３ｂ…縦格子、４…ガラス、５…固定部品、６…第１引掛部品、７…第２引掛部品、２０…枠本体、２１…アタッチメント、２１ａ…装飾体取付部、２５…取付壁、２７…第１内向壁、２８…第２内向壁、３０…格子枠材、３１…枠体取付部、３２…枠体支持壁、３５…第３壁、３５ａ…穴、３６…第４壁、３６ａ…穴、５０…固着片（固着部）、５１…取付片（取付部）、５３…ねじ（支持具）、５３ａ…頭部（当接部）、５５…取付用ねじ（固着具）、５６…長穴、５９…ライナー、６０…ねじ、７０ねじ。
【図１】
2015129419.tif 000003
【図２】
2015129419.tif 000004
【図３】
2015129419.tif 000005
【図４】
2015129419.tif 000006
【図５】
2015129419.tif 000007
【図６】
2015129419.tif 000008
【図７】
2015129419.tif 000009
【図８】
2015129419.tif 000010
【図９】
2015129419.tif 000011
【図１０】
2015129419.tif 000012
【図１１】
2015129419.tif 000013
【図１２】
2015129419.tif 000014